(57)【要約】 【課題】  文字または文字列に３Ｄ効果を適用したテキストデータを、たとえばメール等で受信したときに、受信側の表示装置に３Ｄ表示を行うための機能がなくとも、文章作成者の意図を損なうことなく、かかるテキストデータを円滑に２次元表示できるようにする。【解決手段】  入力テキストデータＴ１は、変換規則テーブルに規定された変換規則に従って、タグ等の属性情報が書き換えられ、出力テキストデータＴ２に変換される。ここで、変換規則テーブルは、文字または文字列に３Ｄ効果を付与するタグを、２Ｄの装飾文字（斜体：イタリック）に変換する変換規則と、かかる文字または文字列のフォントサイズ（属性）を３Ｄ効果の大きさ（飛び出し量）に応じて増加させる変換規則を含むよう構成されている。かかる変換処理により、３Ｄ表示を行うための機能がなくとも、円滑かつ効果的に、テキストデータを表示できる。【選択図】    図２
2005242496.tif 000002
【特許請求の範囲】
【請求項１】
文字または文字列の属性情報を他の属性情報に変換する変換規則を格納した変換規則記憶手段と、
前記変換規則に応じた属性情報をもつ文字または文字列をテキストデータ中から検索する属性検索手段と、
前記属性検索手段によって検索された文字または文字列の属性情報を前記変換規則に従って変換する属性変換手段とを有し、
前記変換規則は、文字または文字列に３次元立体表示効果を付与する属性情報を、２次元の所定の文字修飾効果を付与する属性情報に変換する規則を含む、
ことを特徴とするテキストデータ処理装置。
【請求項２】
請求項１において、
前記変換規則は、３次元立体表示効果を付与する属性情報を、斜体文字または影付き文字等、立体表示に近似した２次元の文字修飾効果を付与する属性情報に変換する規則を含む、
ことを特徴とするテキストデータ処理装置。
【請求項３】
請求項１または２において、
前記変換規則は、３次元立体表示効果の大きさに応じて２次元文字のフォントサイズを変更する規則を含む、
ことを特徴とするテキストデータ処理装置。
【請求項４】
文字または文字列の属性情報を他の属性情報に変換する変換規則を格納した変換規則記憶手段と、
前記変換規則に応じた属性情報をもつ文字または文字列をテキストデータ中から検索する属性検索手段と、
前記検索手段によって検索された文字または文字列の属性情報を前記変換規則に従って変換する属性変換手段とを有し、
前記変換規則は、文字または文字列に２次元の所定の文字修飾効果を付与する属性情報を、３次元立体表示効果を付与する属性情報に変換する規則を含む、
ことを特徴とするテキストデータ処理装置。
【請求項５】
請求項４において、
前記変換規則は、斜体文字または影付き文字等、立体表示に近似した２次元の文字修飾効果を付与する属性情報を、３次元立体表示効果を付与する属性情報に変換する規則を含む、
ことを特徴とするテキストデータ処理装置。
【請求項６】
請求項４または５において、
前記変換規則は、２次元文字のフォントサイズに応じて３次元立体表示効果の大きさを変更する規則を含む、
ことを特徴とするテキストデータ処理装置。
【請求項７】
コンピュータにテキストデータ変換機能を付与するプログラムであって、
文字または文字列の属性情報を他の属性情報に変換する変換規則テーブルと、
前記変換規則に応じた属性情報をもつ文字または文字列をテキストデータ中から検索する属性検索処理と、
前記属性検索処理によって検索された文字または文字列の属性情報を前記変換規則に従って変換する属性変換処理とを有し、
前記変換規則テーブルは、文字または文字列に３次元立体表示効果を付与する属性情報を、２次元の所定の文字修飾効果を付与する属性情報に変換する規則を含む、
ことを特徴とするプログラム。
【請求項８】
請求項７において、
前記変換規則テーブルは、３次元立体表示効果を付与する属性情報を、斜体文字または影付き文字等、立体表示に近似した２次元の文字修飾効果を付与する属性情報に変換する規則を含む、
ことを特徴とするプログラム。
【請求項９】
請求項７または８において、
前記変換規則テーブルは、３次元立体表示効果の大きさに応じて２次元文字のフォントサイズを変更する規則を含む、
ことを特徴とするプログラム。
【請求項１０】
コンピュータにテキストデータ変換機能を付与するプログラムであって、
文字または文字列の属性情報を他の属性情報に変換する変換規則テーブルと、
前記変換規則に応じた属性情報をもつ文字または文字列をテキストデータ中から検索する属性検索処理と、
前記属性検索処理によって検索された文字または文字列の属性情報を前記変換規則に従って変換する属性変換手段とを有し、
前記変換規則テーブルは、文字または文字列に２次元の所定の文字修飾効果を付与する属性情報を、３次元立体表示効果を付与する属性情報に変換する規則を含む、
ことを特徴とするプログラム。
【請求項１１】
請求項１０において、
前記変換規則テーブルは、斜体文字または影付き文字等、立体表示に近似した２次元の文字修飾効果を付与する属性情報を、３次元立体表示効果を付与する属性情報に変換する規則を含む、
ことを特徴とするプログラム。
【請求項１２】
請求項１０または１１において、
前記変換規則テーブルは、２次元文字のフォントサイズに応じて３次元立体表示効果の大きさを変更する規則を含む、
ことを特徴とするプログラム。
【請求項１３】
請求項７ないし１２の何れか１項に記載のプログラムを格納した記憶媒体。
【発明の詳細な説明】
【技術分野】
【０００１】
本発明は、テキストデータ処理装置、プログラムおよびこれを記憶した記憶媒体に関し、特に、３次元立体表示データと２次元表示データを相互に変換して表示する際に用いて好適なものである。
【背景技術】
【０００２】
現在、電子テキストデータは、単純な文字コードだけでなく、大きさや書体など、様々な属性を伴っている。これらの属性は、文字もしくは文字列単位で自由に設定できるため、適宜、属性を変更することで、多彩な形態にて文章を表現できる。
【０００３】
一方、画像表示技術の分野では、３次元立体表示効果（３Ｄ効果）を用いた画像表示方法が検討・開発されている。ここで、３Ｄ効果とは、観測者の左右両眼に視差のついた画像を与えることで、観測者に立体感のある画像を認識させるものである。かかる３Ｄ効果を利用すると、単純なテキスト文章でも、インパクトのある文章として表現することができる。
【０００４】
このように、文章を構成する文字または文字列に３Ｄ効果を持たせると、文章の視覚的効果を顕著に高めることができるが、その反面、かかる電子テキストデータをメール等で送信したときに、受信側の表示装置に３Ｄ表示を行うための機能が装備されていないような場合には、かかる電子テキストデータを円滑に表示することができないとの不都合が生じる。
【０００５】
一般に、電子テキストデータは、ＸＭＬのようなフォーマットで記述される場合が多く、上記３Ｄ効果は、通常、文字や文字列に属性情報として記述することにより実現される。したがって、電子テキストデータ中から３Ｄ効果を示す属性を削除し、通常の２次元表示（２Ｄ表示）による文字列の属性（何も属性を指定しない）に変更すれば、受信側の表示装置上に対応する機能が配備されていなくとも、受信した電子テキストデータを、通常の文字列として表示することができるようになる。しかし、このようにすると、文章作成者によって付加された表示効果が台無しになってしまい、また、文章作成者の意図が受信者側に正しく伝わらない惧れも生じる。
【０００６】
なお、以下に示す特許文献１には、特定の文字あるいは文字列の文字修飾を他の文字修飾に変換する技術が記載されている。すなわち、変換対象となる文字または文字列の文字コードおよびその制御コード（文字修飾の形態を示す）と、変換後の文字または文字列の文字コードおよびその制御コード（文字修飾の形態を示す）を適宜設定し、かかる設定条件に従って、変換対象となる文字または文字列をテキスト中から検索し、検索した文字または文字列を、変換後の文字または文字列の文字コードとその制御コードに変換する、というものである。
【特許文献１】特開平５−２１０６７９号公報
【発明の開示】
【発明が解決しようとする課題】
【０００７】
本発明は、文字または文字列に３Ｄ効果を適用した電子テキストデータを、たとえばメール等で送信したときに、受け手側の表示装置に３Ｄ表示を行うための機能が存在しないような場合にも、文章作成者の意図を損なうことなく、かかる電子テキストデータを円滑に２次元表示し得るテキストデータ処理装置、プログラムおよびこれを記憶した記憶媒体を提供することを課題とする。
【０００８】
また、逆に、２次元表示用の通常の文字または文字列に対し、適宜３Ｄ効果を付加することで、３Ｄ表示機能を備える表示装置にて、通常の２次元表示よりもさらにインパクトのあるテキスト表示を行えるようにできる、テキストデータ処理装置、プログラムおよびこれを記憶した記憶媒体を提供することを課題とする。
【課題を解決するための手段】
【０００９】
請求項１の発明は、テキストデータ処理装置に関するものであって、文字または文字列の属性情報を他の属性情報に変換する変換規則を格納した変換規則記憶手段と、前記変換規則に応じた属性情報をもつ文字または文字列をテキストデータ中から検索する属性検索手段と、前記属性検索手段によって検索された文字または文字列の属性情報を前記変換規則に従って変換する属性変換手段とを有し、前記変換規則は、文字または文字列に３次元立体表示効果を付与する属性情報を、２次元の所定の文字修飾効果を付与する属性情報に変換する規則を含むことを特徴とする。
【００１０】
請求項２の発明は、請求項１に記載のテキストデータ処理装置において、前記変換規則は、３次元立体表示効果を付与する属性情報を、斜体文字または影付き文字等、立体表示に近似した２次元の文字修飾効果を付与する属性情報に変換する規則を含むことを特徴とする。
【００１１】
請求項３の発明は、請求項１または２に記載のテキストデータ処理装置において、前記変換規則は、３次元立体表示効果の大きさに応じて２次元文字のフォントサイズを変更する規則を含むことを特徴とする。
【００１２】
請求項４の発明は、テキストデータ処理装置に関するものであって、文字または文字列の属性情報を他の属性情報に変換する変換規則を格納した変換規則記憶手段と、前記変換規則に応じた属性情報をもつ文字または文字列をテキストデータ中から検索する属性検索手段と、前記検索手段によって検索された文字または文字列の属性情報を前記変換規則に従って変換する属性変換手段とを有し、前記変換規則は、文字または文字列に２次元の所定の文字修飾効果を付与する属性情報を、３次元立体表示効果を付与する属性情報に変換する規則を含むことを特徴とする。
【００１３】
請求項５の発明は、請求項４に記載のテキストデータ処理装置において、前記変換規則は、斜体文字または影付き文字等、立体表示に近似した２次元の文字修飾効果を付与する属性情報を、３次元立体表示効果を付与する属性情報に変換する規則を含むことを特徴とする。
【００１４】
請求項６の発明は、請求項４または５に記載のテキストデータ処理装置において、前記変換規則は、２次元文字のフォントサイズに応じて３次元立体表示効果の大きさを変更する規則を含むことを特徴とする。
【００１５】
請求項７の発明は、コンピュータにテキストデータ変換機能を付与するプログラムに関するものであって、文字または文字列の属性情報を他の属性情報に変換する変換規則テーブルと、前記変換規則に応じた属性情報をもつ文字または文字列をテキストデータ中から検索する属性検索処理と、前記属性検索処理によって検索された文字または文字列の属性情報を前記変換規則に従って変換する属性変換処理とを有し、前記変換規則テーブルは、文字または文字列に３次元立体表示効果を付与する属性情報を、２次元の所定の文字修飾効果を付与する属性情報に変換する規則を含むことを特徴とする。
【００１６】
請求項８の発明は、請求項７に記載のプログラムにおいて、前記変換規則テーブルは、３次元立体表示効果を付与する属性情報を、斜体文字または影付き文字等、立体表示に近似した２次元の文字修飾効果を付与する属性情報に変換する規則を含むことを特徴とする。
【００１７】
請求項９の発明は、請求項７または８に記載のプログラムにおいて、前記変換規則テーブルは、３次元立体表示効果の大きさに応じて２次元文字のフォントサイズを変更する規則を含むことを特徴とする。
【００１８】
請求項１０の発明は、コンピュータにテキストデータ変換機能を付与するプログラムに関するものであって、文字または文字列の属性情報を他の属性情報に変換する変換規則テーブルと、前記変換規則に応じた属性情報をもつ文字または文字列をテキストデータ中から検索する属性検索処理と、前記属性検索処理によって検索された文字または文字列の属性情報を前記変換規則に従って変換する属性変換手段とを有し、前記変換規則テーブルは、文字または文字列に２次元の所定の文字修飾効果を付与する属性情報を、３次元立体表示効果を付与する属性情報に変換する規則を含むことを特徴とする。
【００１９】
請求項１１の発明は、請求項１０に記載のプログラムにおいて、前記変換規則テーブルは、斜体文字または影付き文字等、立体表示に近似した２次元の文字修飾効果を付与する属性情報を、３次元立体表示効果を付与する属性情報に変換する規則を含むことを特徴とする。
【００２０】
請求項１２の発明は、請求項１０または１１に記載のプログラムにおいて、前記変換規則テーブルは、２次元文字のフォントサイズに応じて３次元立体表示効果の大きさを変更する規則を含むことを特徴とする。
【００２１】
請求項１３の発明は、請求項７ないし１２の何れか１項に記載のプログラムを格納した記憶媒体である。
【００２２】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明の効果】
【００２３】
請求項１または７に記載の発明によれば、３Ｄ効果を付与された文字または文字列の属性情報を、２次元の所定の文字修飾効果を付与する属性情報に変換してテキストデータを再構築するものであるから、３Ｄ機能を有しない表示装置においても、これらの文字または文字列を適宜強調して表示することができ、もって、３Ｄ効果が付与された文字または文字列を含むテキストデータを、文章作成者の意図を損なうことなく、円滑に、２次元表示することができる。
【００２４】
また、請求項２または８に記載の発明によれば、３Ｄ効果を付与された文字または文字列を、３Ｄ効果に近い２次元文字修飾の形態で表示することができ、文章作成者の意図に一層近い形態で、これらの文字を２次元表示することができる。
【００２５】
さらに、請求項３または９に記載の発明によれば、３Ｄ効果の大きさに応じて２次元文字のフォントサイズが変更されるため、３Ｄ効果が付与された文字または文字列をより一層強調することができ、表示状態を、文章作成者の意図により一層近づけることができる。
【００２６】
請求項４または１０に記載の発明によれば、２次元の所定の文字修飾効果を付与する属性情報を、３次元立体表示効果を付与する属性情報に変換してテキストデータを再構築するものであるから、３Ｄ表示機能を備える表示装置にて、通常の２次元表示よりもさらにインパクトのある形態で、これらの文字または文字列を表示することができ、文章作成者の意図をより強調したテキスト表示を行うことができる。
【００２７】
また、請求項５または１１に記載の発明によれば、３Ｄ効果に近い２次元文字修飾効果を付与された文字または文字列を、３Ｄにて表示することができ、文章作成者の意図をより適正に強調することができる。
【００２８】
さらに、請求項６または１２に記載の発明によれば、２次元文字のフォントサイズに応じて３Ｄ効果の大きさが適宜変更されるため、フォントサイズに応じた３Ｄ効果を付与することができ、文章作成者の意図をより適正に強調することができる。
【００２９】
なお、請求項１３の発明は、本発明を、記憶媒体として抽出したものである。よって、請求項１３の発明においても、上記と同様の効果を相することができる。
【００３０】
その他、本発明にて奏される効果は、以下に示す実施の形態の説明により、さらに明らかとなろう。
【発明を実施するための最良の形態】
【００３１】
以下、本発明の実施の形態につき図面を参照して説明する。
【００３２】
まず、図１に実施の形態に係るテキスト変換処理ツールの機能ブロックを示す。
【００３３】
なお、同図に示す機能ブロックは、各機能を連携的に実行するためのプログラムないしデータベースを装置に実装し、これにより、ＣＰＵに同様の機能を付与する形態にて実現できる。ここで、これらのプログラムおよびデータベースは、予め、装置に実装するようにしても良く、あるいは、別途外部から、インストールするようにしても良い。かかるインストールは、インターネット等の公衆網を介してダウンロードする他、当該プログラムおよびデータベースを格納した記憶媒体（ディスク等）を当該装置に装着する方法によっても行い得る。
【００３４】
図示の如く、テキスト変換処理ツールは、テキスト検索部２０１と、テキスト変換部２０２と、変換規則保持部２０３とから構成されている。
【００３５】
テキスト検索部２０１は、変換規則保持部２０３に保持されている変換規則テーブルに従って、入力テキストデータＴ１中から、対応する属性情報を付加された文字ないし文字列を検索する。テキスト変換部２０２は、テキスト検索部２０１によって検索された文字ないし文字列の属性情報を、変換規則保持部２０３に保持されている変換器側テーブルに従って変換し、出力テキストデータＴ２を出力する。テキスト規則保持部２０３は、入力テキストデータＴ１中に含まれ得る文字ないし文字列の属性情報のうち、所定の属性情報を他の属性情報に変換する変換規則テーブルを格納している。
【００３６】
図２に、入力テキストデータＴ１を３Ｄテキストデータとし、出力テキストデータＴ２を２Ｄテキストデータとしたときの変換規則テーブルの構成例を示す。なお、ここでは、３Ｄテキストデータおよび２ＤテキストデータはＸＭＬ形式にて記述されている。
【００３７】
かかる構成例において、変換規則テーブルは、文字または文字列に３Ｄ効果を付与するタグを、２Ｄの装飾文字（斜体）に変換する変換規則と、かかる文字または文字列のフォントサイズ（属性）を３Ｄ効果の大きさ（飛び出し量）に応じて増加させる変換規則を含むよう構成されている。ここで、フォントサイズは、単位飛び出し量あたり１ｐｔ（ポイント）だけ増加するよう設定されている。
【００３８】
同図において、それぞれのテキストデータ中に記述された＜ｔｅｘｔ  ｆｏｎｔ＝１２ｐｔ＞は、これに続くデータがフォントサイズ＝１２ｐｔのテキストデータであることを示し、＜／ｔｅｘｔ＞は、テキストデータの終了を示している。また、３Ｄテキストデータ中に記述された＜３Ｄ  ｄ＝２＞および＜３Ｄ  ｄ＝１＞は、これに続く文字ないし文字列に３Ｄ効果を付与し、且つ、その飛び出し量の大きさをレベル２（ｄ＝２）およびレベル１（ｄ＝１）とすることを示している。ここで、飛び出し量は、レベル値が大きいほど大きくなっている。
【００３９】
また、２Ｄテキストデータ中に記述された＜ｉｔ  ｆｏｎｔ＝１４ｐｔ＞および＜ｉｔ  ｆｏｎｔ＝１３ｐｔ＞は、これに続く文字列ないし文字列に、フォントサイズが１４ｐｔおよび１３ｐｔの斜体（it：イタリック）の文字修飾を付与することを示しており、＜／ｉｔ＞は、かかる文字修飾を終了することを示している。
【００４０】
図３に、かかる変換テーブルに従って入力テキストデータＴ１を変換する際のフローチャートを示す。
【００４１】
変換処理が開始すると、テキスト検索部２０１に入力テキストデータＴ１（３Ｄ）が入力され（Ｓ１０１）、入力テキストデータＴ１中の文字ないし文字列のうち、３Ｄ効果を付与するタグが付加された文字ないし文字列が検索される（Ｓ１０２）。このとき、３Ｄ効果を付与するタグが付加された文字ないし文字列があれば、当該文字ないし文字列の飛び出し量が同時に抽出される。そして、抽出した情報と、入力テキストデータＴ１および変換規則保持部２０３に保持されている変換規則テーブルがテキスト変換部２０２に提供される（Ｓ１０３）。
【００４２】
テキスト変換部２０３は、上記Ｓ１０２で検索された文字ないし文字列のタグを、変換規則テーブルに従って、斜体（it：イタリック）に変換するとともに、当該文字ないし文字列のフォントサイズを３Ｄの飛び出し量に応じたポイント数だけ増加させ、２次元のテキストデータに変換する（Ｓ１０４）。そして、変換したテキストデータを、出力テキストデータＴ２として出力する。
【００４３】
図４に、かかる場合の表示出力例を示す。
【００４４】
なお、同図の下段左側は、入力テキストデータＴ１（３Ｄ）を３Ｄ表示したときの表示出力例であり、同図の下段右側は、変換後の出力テキストデータＴ２（２Ｄ）を２Ｄ表示したときの表示出力例である。
【００４５】
図示の如く、上記処理によれば、３Ｄ効果が付与された文字列（同図中、点線で囲んだ部分の文字列）を、斜体（イタリック）の拡大文字にて２次元表示することができ、もって、３Ｄ効果が付与された文字列を２次元表示において強調することができる。よって、入力テキストデータＴ１を作成した作成者の意図を２次元表示に反映することができ、２次元表示機能しかない装置においても、作成者の意図を適正に伝達表示することができる。
【００４６】
なお、上記では、３Ｄのテキストデータを２Ｄのテキストデータに変換するに際し、文字修飾の形態（イタリック）とフォントサイズを同時に変換するようにしたが、文字修飾の形態（イタリック）のみを変換し、あるいは、フォントサイズのみを変換するようにしても、３Ｄ文字列の強調効果を発揮させることができる。
【００４７】
また、上記では、文字修飾の形態を斜体（イタリック）としたが、影付き文字や太字等、３Ｄ表示に近似したその他の文字修飾の形態を採用するようにしても良い。
【００４８】
さらに、上記では、３Ｄ効果の飛び出し量を単純に数値の大きさ（ｄ＝１、２、…）として表現しているが、ｍｍ、ｃｍ等の単位による記述や、“大”、“中”、“小”等の度量の記述として表現することもできる。なお、この場合にも、フォントサイズの大きさは、飛び出し量に応じてポイント数を変更するようにすれば良い。
【００４９】
ところで、上記では、３Ｄのテキストデータを２Ｄのテキストデータに変換するときの変換規則テーブルを例示し、これを用いた処理フローおよび表示出力例を例示したが、変換規則テーブルを、２Ｄのテキストデータを３Ｄのテキストデータに変換するものとして構成することもできる。たとえば、上記とは逆に、文字または文字列に２Ｄの文字装飾（たとえば、イタリック）が付加するタグが記述されている場合に、当該文字または文字列のタグを、３Ｄ効果を付与するタグに変換する変換規則を変換規則テーブルに含め、あるいは、文字または文字列のフォントサイズを通常より大きくする属性情報が記述されている場合に、当該属性情報を、フォントサイズの増加分に応じた飛び出し量にて３Ｄ表示する属性情報に変換する変換規則を変換規則テーブルに含めるようにしても良い。
【００５０】
たとえば、かかる変換規則が、上記とは逆に、文字修飾のタグが斜体（イタリック）のときに、このタグを、そのフォントサイズに応じた飛び出し量の３Ｄ効果を付与するタグに変換するよう規定されていれば、図４に示す２Ｄテキストデータを同図の３Ｄテキストデータに変換することができ、もって、同図の下段左側に示すように、通常の２次元表示よりもさらにインパクトのある形態で、これらの文字または文字列を３Ｄ表示することができるようになる。
【００５１】
また、上記ではＸＭＬ形式でデータを記述するとしたが、部分的に文字や文字列に対して、フォントや斜体や３Ｄ等の属性が修飾情報として付加されるような任意のデータ形式において実施可能である。
【実施例１】
【００５２】
上記テキスト変換処理ツールを携帯端末装置に適用した場合の実施例を示す。
【００５３】
なお、本実施例において、上記テキスト変換処理ツールは、たとえば、同図に示す通信モジュール１０１を介して、公衆網から携帯端末装置内のメモリにダウンロードすることにより実装される。また、同図に示す携帯端末装置は、３Ｄ表示機能を備えていないものとし、よって、実装されるテキスト変換ツールは、３Ｄテキストデータを２Ｄテキストデータに変換する機能を実行するものとする。
【００５４】
図示の如く、携帯端末装置は、通信モジュール１０１と、通信処理部１０２と、操作パネル１０３と、入力処理部１０４と、モニターパネル１０５と、表示制御部１０６と、音声入出力器１０７と、音声処理部１０８と、ＣＰＵ１０９と、ＲＡＭ１１０を備えている。
【００５５】
通信モジュール１０１は、アンテナ等の無線通信モジュールを備え、電波を介して公衆網との間で通信を行う。通信処理部１０２は、通信モジュール１０１を介して送受信するデータに対し通信プロトコルに応じた処理を施す。
【００５６】
操作パネル１０３は、操作キー等の操作手段を備え、操作結果に応じた信号を入力処理部１０４に出力する。入力処理部１０４は、操作パネル１０３から受信した信号をデータに変換し制御部１０９に出力する。
【００５７】
モニターパネル１０５は、液晶モニター等の表示手段を備え、表示制御部１０６からの処理に応じた表示画面を表示する。表示制御部１０６は、制御部１０９から入力される画像データに従って表示画面を生成しモニターパネル１０５上に表示せしめる。
【００５８】
音声入出力ＩＦ（インタフェース）１０７は、音声を入出力するためのインタフェースを備え、音声入力手段から入力された音声信号を音声処理部１０８に出力し、音声処理部１０８から受信した音声信号に応じた音声を音声出力手段から出力する。音声処理部１０８は、音声入出力ＩＦ１０７から受信した音声信号を音声データに変換して制御部１０９に出力し、また制御部１０９から受信した音声データを音声信号に変換して音声入出力ＩＦ１０７に出力する。
【００５９】
ＣＰＵ１０９は、携帯端末装置に実装されている各種プログラムに従って種々の処理を実行する。ＲＡＭ１１０は、ＣＰＵ１０９によって扱われる各種データを逐次記憶する。
【００６０】
たとえば、公衆網からテキストデータファイルを含むメールデータを受信すると、かかるメールデータは、メール処理プログラムに従って、ＣＰＵ１０９によって取得解析され、ＲＡＭ１１０に格納される。このとき、ＲＡＭ１１０に格納されたテキストデータファイルが３Ｄテキストデータであれば、テキストデータ変換処理プログラムに従って、ＣＰＵ１０９によって２Ｄテキストデータに変換処理され、別ファイルとしてＲＡＭ１１０に格納される。なお、かかる変換処理は、上記図１ないし図４を参照して説明したようにして行われる。
【００６１】
しかる後、かかるテキストデータファイルの表示指令が操作パネル１０３を介して入力されると、ＣＰＵ１０９は、ＲＡＭ１１０から２Ｄテキストデータを読み出して画像データを生成し、これを表示制御部１０６に出力する。これを受けて、表示制御部１０６は、２Ｄテキストデータに応じた画像を生成し、これをモニターパネル１０５上に表示せしめる。これにより、たとえば、図４の下段右側に示すような画像がモニターパネル１０５上に表示される。
【００６２】
なお、本実施例では、３Ｄ表示機能を有さない携帯端末装置を例にとって、上記実施の形態の適用例を説明したが、３Ｄ表示機能を有する携帯端末装置に対し上記実施の形態を適用する場合には、３Ｄテキストデータを２Ｄテキストデータに変換する機能を実行するテキスト変換ツールに代えて、２Ｄテキストデータを３Ｄテキストデータに変換する機能を実行するテキスト変換ツールが携帯端末装置に実装される。この場合、メール受信したテキストデータファイルが２Ｄテキストデータの場合に、テキスト変換ツールが起動され、２Ｄテキストデータを３Ｄテキストデータに変換する処理がＣＰＵ１０９によって実行される。そして、変換後の３Ｄテキストデータが、別ファイルとして、ＲＡＭ１１０に格納される。なお、変換処理については、上述の通りである。
【００６３】
なお、この場合、当該テキストデータは、３Ｄ／２Ｄの何れの表示形態によっても表示出力され得る。よって、何れの表示形態で表示するかをユーザに問い合わせ、これに対する選択指令に応じて、表示出力の形態（３Ｄ／２Ｄ）を適宜設定するようにしても良い。あるいは、通常は３Ｄにて表示し、ユーザからの切り換え指令に応じて２Ｄに変更するようにしても良く、逆に、通常は２Ｄにて表示し、ユーザからの切り換え指令に応じて３Ｄに変更するようにしても良い。
【００６４】
なお、本実施例の何れの場合においても、メール転送時には、３Ｄ／２Ｄの何れのテキストデータも、転送先に送信することができる。よって、メール転送時には、何れのテキストデータを送信するかをユーザに問い合わせるようにすれば良い。
【００６５】
また、メールデータ以外にも、３Ｄタグを持つホームページの閲覧においても、受信端末の３Ｄ／２Ｄの表示形態に応じて、上記変換処理を行うようにしてもよい。
【００６６】
以上、本発明に係る実施の形態について説明したが、本発明は上記実施形態に限定されるものではなく、他に種々の変更が可能であることは言うまでもない。本発明の実施の形態は、特許請求の範囲に示された技術的思想の範囲内において、適宜、種々の変更が可能である。
【図面の簡単な説明】
【００６７】
【図１】実施の形態に係るテキスト変換ツールの機能ブロック図
【図２】実施の形態に係る変換規則テーブルの一例を示す図
【図３】実施の形態に係るテキストデータ変換処理を示すフローチャート
【図４】実施の形態に係るテキストデータの変換処理例を示す図
【図５】実施例に係る携帯端末装置の構成を示す図
【符号の説明】
【００６８】
１０９  ＣＰＵ
２０１  テキスト検索部
２０２  テキスト変換部
２０３  変換規則保持部
【図１】
2005242496.tif 000003
【図２】
2005242496.tif 000004
【図３】
2005242496.tif 000005
【図４】
2005242496.tif 000006
【図５】
2005242496.tif 000007